(57)【要約】【課題】遊技に対する不正の検知結果を精度良くかつ効率的に報知すること。【解決手段】遊技機及び台間カード処理機で検知した不正操作を、遊技客を識別するカードＩＤに対応付けて不正ログとして蓄積する。また、遊技機及び台間カード処理機の差玉を算出するのに必要なデータを管理・集計し、算出される差玉数と計数玉数から遊技媒体の不正持込の検出を行い、カードＩＤに対応付けて不正ログとして蓄積する。景品交換時に遊技客のカードＩＤに対応付けられた不正ログ内容のチェックを行い、不正ログが多い場合にはその内容を店員にアラートとして報知する。【選択図】図１
2015054138.tif 000002
【特許請求の範囲】
【請求項１】
遊技媒体を使用する遊技機による遊技を管理する遊技管理システムであって、
前記遊技機による遊技状態を取得する遊技状態取得手段と、
前記遊技の結果として得られた獲得遊技媒体数を関連付ける記憶媒体の識別情報を取得する識別情報取得手段と、
前記遊技状態に応じて不正の発生を検知し、検知結果を前記識別情報に関連付けて管理する不正管理手段と、
前記識別情報に関連付けられた獲得遊技媒体数を景品交換する際に、当該識別情報に前記不正の発生が関連付けられている場合に報知を行なう報知手段と
を備えたことを特徴とする遊技管理システム。
【請求項２】
前記不正管理手段は、前記遊技機による遊技のために払い出された遊技媒体数から前記遊技により消費された遊技媒体数を減算するとともに前記獲得遊技媒体数を加算した差遊技媒体数を算出し、計数処理された計数遊技媒体数と前記差遊技媒体数との誤差が所定の誤差閾値以上である場合に不正が発生したと判定することを特徴とする請求項１に記載の遊技管理システム。
【請求項３】
前記遊技機若しくは前記遊技機に併設された各台装置に設けられた検知手段により、前記不正の発生を検知することを特徴とする請求項１又は２に記載の遊技管理システム。
【請求項４】
前記景品交換を行なう遊技客を撮像する撮像手段と、
前記識別情報に関連付けられた獲得遊技媒体数を景品交換する際に、当該識別情報に前記不正の発生が関連付けられている場合に、前記撮像手段による撮像結果を不正遊技客情報として前記不正に関連付けて管理する不正遊技客管理手段と
をさらに備えたことを特徴とする請求項１、２又は３に記載の遊技管理システム。
【請求項５】
前記報知手段は、前記撮像手段による撮像結果が、前記不正遊技客管理手段により管理された不正遊技客情報と一致する場合に、さらに報知を行なうことを特徴とする請求項４に記載の遊技管理システム。
【請求項６】
遊技媒体を使用する遊技機による遊技を管理する遊技管理方法であって、
前記遊技機による遊技状態を取得する遊技状態取得ステップと、
前記遊技の結果として得られた獲得遊技媒体数を関連付ける記憶媒体の識別情報を取得する識別情報取得ステップと、
前記遊技状態に応じて不正の発生を検知し、検知結果を前記識別情報に関連付けて管理する不正管理ステップと、
前記識別情報に関連付けられた獲得遊技媒体数を景品交換する際に、当該識別情報に前記不正の発生が関連付けられている場合に報知を行なう報知ステップと
を含んだことを特徴とする遊技管理方法。
【発明の詳細な説明】
【技術分野】
【０００１】
この発明は、遊技媒体を使用する遊技機による遊技を管理する遊技管理システム及び遊技管理方法に関する。
【背景技術】
【０００２】
従来、パチンコ遊技やパチスロ遊技を提供する遊技店では、島端等に配設される計数機での遊技媒体の計数を不要化する観点から、遊技結果として投出された賞遊技媒体を各遊技台に併設される台間機で計数し、その計数結果を持遊技媒体として台間機内の記憶媒体に関連付けておき、この持遊技媒体の範囲内で再貸出しを行う各台計数システムが知られている。
【０００３】
具体的には、台間機は、遊技台の上皿および下皿における貯留容量を超えた遊技媒体を台間機下部に設けられた計数部に投入させてその投入遊技媒体を計数し、該計数結果を累積記憶しておき、遊技客が離席を意図してカード返却操作を行った場合に、累積記憶した計数遊技媒体数を台間機に接続される上位装置に通知するとともに、当該計数遊技媒体数を記憶媒体に関連付けている。
【０００４】
このような各台計数システムでは、島端型の計数機の場合とは異なり、各台間機で計数が断続的に繰り返し行われるため、従業員に計数の立会いを行わせるのは困難である。
【０００５】
このため、他店から持ち帰った遊技媒体や偽造した遊技媒体を台間機の計数部で計数し、この計数結果を記憶媒体に関連付け、その記憶媒体を用いて景品交換を行うという計数ゴトが行われる余地があった。
【０００６】
かかる不正行為に対応するための技術として、たとえば特許文献１には、遊技台のセーフ玉数Ｓ、アウト玉数Ｏ、貸し玉数Ｒおよび計数玉数Ｃを所定の判定式にあてはめて不正行為を検出する不正行為検出装置が開示されている。
【０００７】
具体的には、アウト玉数Ｏと計数玉数Ｃの合計からセーフ玉数Ｓと貸し玉数Ｒの合計を減算し、その減算結果が予め設定した誤差αを超えるか否か、すなわちＯ＋Ｃ−（Ｓ＋Ｒ）＜αという不等式を満たすか否かを判定し、かかる不等式を満たさない場合には不正行為が行われていると判定する。なお、アウト玉数とは、遊技台に打ち込まれた玉数を指し、セーフ玉数とは、遊技台から賞玉として投出された玉数を指す。
【先行技術文献】
【特許文献】
【０００８】
【特許文献１】特許第４１１８３６６号公報
【発明の概要】
【発明が解決しようとする課題】
【０００９】
しかしながら、上述した従来技術では、計数の度に不正が行なわれたか否かを判定し、その結果を報知するため、不正の報知を効率的に行なうことができないという問題点があった。
【００１０】
この点を具体的に説明する。Ｏ＋Ｃ−（Ｓ＋Ｒ）により算出された玉数が、誤差αを超えたとしても、実際に計数玉数が景品交換されなければ、遊技店にとって不利益を生じることはない。すなわち、遊技店員にとって報知が必要となるのは景品交換時であるが、計数の時点で報知を行なう従来の技術では、報知が必要以上に頻繁に行なわれることとなり、報知の精度が低下するのである。
【００１１】
同様の問題は、遊技機や台間機に対して不正な操作が行われた場合にも発生する。遊技機や台間機には、磁気を利用した不正を検知するための磁気センサや、振動を与えることによる不正を検知するための振動センサ、入金した貨幣を取り出す不正を検知するための不正入金検知センサなどが設けられ、これらのセンサにより不正な操作を検知しているのであるが、この検知結果についても、遊技店員にとって報知が必要となるのは景品交換時であり、検知の都度、報知を行なうと報知が必要以上に頻繁に行なわれることとなる。
【００１２】
これらのことから、遊技に対する不正の検知結果をいかにして精度良くかつ効率的に報知するかが重要な課題となっていた。
【００１３】
本発明は、上述した従来技術の課題を解消するためになされたものであって、遊技に対する不正の検知結果を精度良くかつ効率的に報知する遊技管理システム及び遊技管理方法を提供することを目的とする。
【課題を解決するための手段】
【００１４】
上述した課題を解決し、目的を達成するため、本発明は、遊技媒体を使用する遊技機による遊技を管理する遊技管理システムであって、前記遊技機による遊技状態を取得する遊技状態取得手段と、前記遊技の結果として得られた獲得遊技媒体数を関連付ける記憶媒体の識別情報を取得する識別情報取得手段と、前記遊技状態に応じて不正の発生を検知し、検知結果を前記識別情報に関連付けて管理する不正管理手段と、前記識別情報に関連付けられた獲得遊技媒体数を景品交換する際に、当該識別情報に前記不正の発生が関連付けられている場合に報知を行なう報知手段とを備えたことを特徴とする。
【００１５】
また、本発明は、上記発明において、前記不正管理手段は、前記遊技機による遊技のために払い出された遊技媒体数から前記遊技により消費された遊技媒体数を減算するとともに前記獲得遊技媒体数を加算した差遊技媒体数を算出し、計数処理された計数遊技媒体数と前記差遊技媒体数との誤差が所定の誤差閾値以上である場合に不正が発生したと判定することを特徴とする。
【００１６】
また、本発明は、上記発明において、前記遊技機若しくは前記遊技機に併設された各台装置に設けられた検知手段により、前記不正の発生を検知することを特徴とする。
【００１７】
また、本発明は、上記発明において、前記景品交換を行なう遊技客を撮像する撮像手段と、前記識別情報に関連付けられた獲得遊技媒体数を景品交換する際に、当該識別情報に前記不正の発生が関連付けられている場合に、前記撮像手段による撮像結果を不正遊技客情報として前記不正に関連付けて管理する不正遊技客管理手段とをさらに備えたことを特徴とする。
【００１８】
また、本発明は、上記発明において、前記報知手段は、前記撮像手段による撮像結果が、前記不正遊技客管理手段により管理された不正遊技客情報と一致する場合に、さらに報知を行なうことを特徴とする。
【００１９】
また、本発明は、遊技媒体を使用する遊技機による遊技を管理する遊技管理方法であって、前記遊技機による遊技状態を取得する遊技状態取得ステップと、前記遊技の結果として得られた獲得遊技媒体数を関連付ける記憶媒体の識別情報を取得する識別情報取得ステップと、前記遊技状態に応じて不正の発生を検知し、検知結果を前記識別情報に関連付けて管理する不正管理ステップと、前記識別情報に関連付けられた獲得遊技媒体数を景品交換する際に、当該識別情報に前記不正の発生が関連付けられている場合に報知を行なう報知ステップとを含んだことを特徴とする。
【発明の効果】
【００２０】
本発明によれば、遊技機による遊技状態を取得し、遊技の結果として得られた獲得遊技媒体数を関連付ける記憶媒体の識別情報を取得し、遊技状態に応じて不正の発生を検知し、検知結果を識別情報に関連付けて管理し、識別情報に関連付けられた獲得遊技媒体数を景品交換する際に、当該識別情報に不正の発生が関連付けられている場合に報知を行なうよう構成したので、遊技に対する不正の検知結果を精度良くかつ効率的に報知することができる。
【図面の簡単な説明】
【００２１】
【図１】図１は、実施例１に係る遊技管理システムにおける不正行為を検知する遊技管理方法の概念を説明するための説明図である。
【図２】図２は、遊技店のシステム構成を示す図である。
【図３】図３は、図２に示した遊技機及び台間カード処理機の外観構成を示す図である。
【図４】図４は、図２に示した台間カード処理機の実施例１に係る内部構成を示すブロック図である。
【図５】図５は、図２に示した台間カード処理機の実施例１に係るデータ構成について説明するための説明図である。
【図６】図６は、図２に示した台間カード処理機における差玉に係る操作時及び不正検知時の処理手順について説明するためのフローチャートである。
【図７】図７は、図２に示したカード管理装置の実施例１に係る内部構成を示すブロック図である。
【図８】図８は、図２に示したカード管理装置の実施例１に係るデータ構成について説明するための説明図である。
【図９】図９は、図２に示した景品管理装置の外観構成を示す図である。
【図１０】図１０は、図２に示した景品管理装置の実施例１に係る内部構成を示すブロック図である。
【図１１】図１１は、図２に示した景品管理装置の実施例１に係るカード挿入時のアラート報知の処理手順について説明するためのフローチャートである。
【図１２】図１２は、実施例２に係る遊技管理システムにおける不正行為を検知する遊技管理方法の概念を説明するための説明図である。
【図１３】図１３は、図１２に示したカード管理装置の実施例２に係る内部構成を示すブロック図である。
【図１４】図１４は、図１２に示したカード管理装置の実施例２に係るデータ構成について説明するための説明図である。
【図１５】図１５は、図１２に示したカード管理装置の実施例２に係るブラックリスト作成の処理手順について説明するためのフローチャートである。
【図１６】図１６は、図１２に示した景品管理装置の実施例２に係る内部構成を示すブロック図である。
【図１７】図１７は、図１２に示した景品管理装置の実施例２に係るカード挿入時のアラート報知の処理手順について説明するためのフローチャートである。
【発明を実施するための形態】
【００２２】
以下に、添付図面を参照して、本発明に係る遊技管理システム及び遊技管理方法の好適な実施例を詳細に説明する。
【実施例１】
【００２３】
まず、実施例１に係る遊技管理システムにおける不正行為を検知する遊技管理方法の概念について説明する。図１は、実施例１に係る遊技管理システムにおける不正行為を検知する遊技管理方法の概念を説明するための説明図である。
【００２４】
遊技機２０は、遊技客の遊技により特定数（例えば１０玉）のアウト玉が発生するごとに、「アウト」の通知を台間カード処理機１０に通知する。また、遊技機２０は、セーフ玉１個を検出するごとに「セーフ」の通知を台間カード処理機１０に通知する。また、遊技機２０は、遊技機２０において磁石を使用した不正や台の不正オープンを検知したならば、「不正行為検出」の通知を台間カード処理機１０に通知する。
【００２５】
台間カード処理機１０は、遊技機２０からアウト通知を受け付けると、アウト玉数と遊技客を識別するカードＩＤをカード管理装置４０に通知する。また、台間カード処理機１０は、遊技機２０からセーフ通知を受け付けると、セーフ玉１個の入賞で賞出される賞出玉数と遊技客を識別するカードＩＤをカード管理装置４０に通知する。また、台間カード処理機１０は、遊技機２０から不正行為検出の通知を受け付けると、遊技客を識別するカードＩＤを付加してカード管理装置４０に不正行為検出を通知する。
【００２６】
また、台間カード処理機１０は、遊技客による台間カード処理機１０における貸玉操作、貯玉再プレイ操作、持玉再プレイ操作及び計数操作を認識したならば、遊技客を識別するカードＩＤを付加して貸出玉数、貯玉再プレイ玉数、持玉再プレイ玉数、計数玉数をカード管理装置４０に通知する。
【００２７】
また、台間カード処理機１０は、台間カード処理機１０における紙幣入金時に不正行為を検知した場合には、遊技客を識別するカードＩＤを付加してカード管理装置４０に不正行為検出を通知する。
【００２８】
カード管理装置４０は、台間カード処理機１０から受け付けたカードＩＤとアウト玉数、賞出玉数、貸出玉数、貯玉再プレイ玉数、持玉再プレイ玉数及び計数玉数を、カードＩＤ毎に集計することによって、カードＩＤ毎の差玉数を算出することができる。
【００２９】
カード管理装置４０は、台間カード処理機１０から計数玉数の通知を受け付けたならば、該計数玉数とカード管理装置４０で管理している当該カードＩＤの遊技客の差玉数との比較を行い、計数玉数が差玉数と比較して大きすぎる場合にも、遊技媒体が持ち込まれている可能性があると判断して、不正ログに記録する。また、カード管理装置４０は、台間カード処理機１０から不正行為検出の通知を受け付けた場合には、不正ログにカードＩＤと不正行為検知の内容を書き込む。本実施例では、台間カード処理機１０からの計数玉数の通知を受け付けて、カード管理装置４０で不正ログの対象とするか否かの判定を行うものとしたが、これに限定するものではない。例えば、台間カード処理機１０で計数が行われたときに不正ログの対象とするか否かの判定を行い、不正ログの対象と判定した場合に不正ログの書き込みの要求をカード管理装置４０に送信するようにしてもよい。
【００３０】
遊技客が景品管理装置６０で景品交換を行う際に、遊技に使用していたカードを読み込ませると、景品管理装置６０は、カードから読み込んだカードＩＤを指定して不正ログの照会要求をカード管理装置４０に送信する。カード管理装置４０は、受け取ったカードＩＤで不正ログを検索し検索結果を景品管理装置６０に返却する。
【００３１】
景品管理装置６０は、不正ログの照会要求の応答で返却された不正ログの内容により該遊技客についてアラートを発するか否かを判定する。アラート報知が必要と判定した場合には、景品管理装置６０は、該遊技客に係る不正ログの内容をディスプレイへの表示等により店員へ報知する。本実施例では、カード管理装置４０に玉数の出入りの情報を集約し、集約された情報から不正行為の疑いありと判定された情報を不正ログとしてカード管理装置４０で管理するものとしたが、本発明はこれに限定するものではない。例えば、玉数の出入りの情報及び不正ログの情報をカード自体に記憶させて管理してもよい。以下は、玉数の出入りの情報及び不正ログの情報をカード管理装置４０で管理する実施例を記載する。
【００３２】
次に、図１に示した遊技店のシステム構成について説明する。図２は、遊技店のシステム構成を示す図である。同図に示すように、遊技店のシステムは、複数の遊技機２０と、各遊技機２０にそれぞれ対応して設けられた台間カード処理機１０とが設置される。通信回線９０には、カード管理装置４０と、会員管理装置５０と、景品管理装置６０とが接続される。
【００３３】
複数の遊技機２０には、それぞれ台間カード処理機１０が対応して設けられている。遊技機２０は、所定の数のアウト玉を検知するとアウトの通知を台間カード処理機１０に通知する。また遊技機２０は、セーフ玉１個を検出するごとにセーフの通知を台間カード処理機１０に通知する。また、遊技機２０は、遊技機２０で磁石を使用した不正や台の不正オープンを検知したならば、不正行為検出の通知を台間カード処理機１０に通知する。また、不正行為検出の通知を受けた台間カード処理機１０は、遊技客を識別するカードＩＤを付加してカード管理装置４０に不正行為検出を通知する。
【００３４】
台間カード処理機１０は、遊技客が投入した紙幣を受け付けたならば、入金額をカード管理装置４０に送信して入金額分のプリペイド価値を加算させ、所定の玉貸し操作がなされたならば、カード管理装置４０が管理するプリペイド価値を減算し、減算したプリペイド価値分に対応する遊技玉を遊技機２０に払い出す。また、台間カード処理機１０は、玉貸し操作を受け付けると、カードＩＤと貸出玉数をカード管理装置４０に通知する。
【００３５】
また、台間カード処理機１０は、カードを受け付けたならば、該カードに関連付けられたプリペイド価値及び持玉数を記憶する。台間カード処理機１０は、持玉再プレイ操作を受け付けると、自装置が管理する持玉数を所定数減算し、減算した持玉数を遊技機２０に払い出す。また、台間カード処理機１０は、持玉再プレイ操作を受け付けると、カードＩＤと持玉再プレイ玉数をカード管理装置４０に通知する。また、台間カード処理機１０は、計数操作を受け付けると、計数した玉数を自装置が管理する持玉数に加算し、カードＩＤと計数玉数をカード管理装置４０に通知する。
【００３６】
また、台間カード処理機１０は、貯玉再プレイ操作を受け付けると、会員管理装置５０が管理する貯玉数を所定数減算させ、減算させた貯玉数に対応する数の遊技玉を遊技機２０に払い出す。また、台間カード処理機１０は、貯玉再プレイ操作を受け付けると、カードＩＤと貯玉再プレイ玉数をカード管理装置４０に通知する。
【００３７】
また、台間カード処理機１０は、カード返却操作を受け付けたならば、自装置が管理する持玉数をカード管理装置４０に通知した上で、カードを排出する処理を行う。
【００３８】
また、台間カード処理機１０は、台間カード処理機１０における紙幣入金時に不正行為を検知した場合には、遊技客を識別するカードＩＤを付加してカード管理装置４０に不正行為検出を通知する。
【００３９】
カード管理装置４０は、カードのプリペイド価値及び持玉数等をカードデータとして管理する管理装置である。カード管理装置４０は、台間カード処理機１０からカードＩＤと入金額を含む入金通知を受信したならば入金額に対応するプリペイド価値を加算してカードデータを更新し、台間カード処理機１０からカードＩＤを含む玉貸要求を受信したならば、該カードＩＤに対応するプリペイド価値を所定値減算して、玉貸許可を台間カード処理機１０に送信する。また、カード管理装置４０は、台間カード処理機１０からカードＩＤを含むカード挿入通知を受信したならば、該カードＩＤに関連付けられたプリペイド価値及び持玉数を台間カード処理機１０に通知する。
【００４０】
また、カード管理装置４０は、台間カード処理機１０から持玉減算要求を受信した場合には、持玉口座の残高を減算し、持玉登録要求を受信した場合には、受信した持玉数に持玉口座の残高を書き換える。また、カード管理装置４０は、台間カード処理機１０から貯玉再プレイ要求を受信した場合には該貯玉再プレイ要求を会員管理装置５０に送信し、会員管理装置５０から貯玉再プレイ許可を受信した場合には該貯玉再プレイ許可を対応する台間カード処理機１０に送信する。また、カード管理装置４０は、景品管理装置６０からカードＩＤを受信したならば、このカードＩＤに関連付けられた持玉数を景品管理装置６０に対して通知する。
【００４１】
また、カード管理装置４０は、台間カード処理機１０から受け付けたカードＩＤに対応付けられたアウト玉数、賞出玉数、貸出玉数、貯玉再プレイ玉数、持玉再プレイ玉数及び計数玉数を管理し、カードＩＤごとの差玉数を管理する。またカード管理装置４０は、台間カード処理機１０から受け付けた不正行為検出の通知の内容を不正ログとして管理する。
【００４２】
会員管理装置５０は、遊技店に会員登録された会員に係るデータを管理する管理装置である。具体的には、会員に対して発行した会員カードＩＤに関連づけて、貯玉数、ポイント、暗証番号及び氏名等を管理する。また、会員管理装置５０は、カード管理装置４０を介して貯玉再プレイ要求を受信した場合には、該当する貯玉口座の残高を所定値減算し、貯玉再プレイ許可を送信する処理を行なう。また、会員管理装置５０は、景品管理装置６０から会員カードＩＤを受信したならば、この会員カードＩＤに関連付けられた貯玉口座の残高を景品管理装置６０に対して通知する。
【００４３】
景品管理装置６０は、遊技店内の景品交換カウンタに併設された景品交換用の端末装置であり、貯玉及び持玉の景品交換処理を行う。この景品管理装置６０には、カードのカードＩＤを読み取るリーダライタ及び景品を払い出す景品払出装置が接続されている。景品管理装置６０は、リーダライタが一般カード又は会員カードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００４４】
また、景品管理装置６０は、遊技客の景品交換時にカード管理装置４０の管理する不正ログの情報等により、不正操作の多い遊技客であると判定された場合には、ディスプレイ装置等に該遊技客の不正ログの内容等の出力により店員へのアラート報知を行う。
【００４５】
次に、図２に示した遊技機２０及び台間カード処理機１０の外観構成について説明する。図３は、遊技機２０及び台間カード処理機１０の外観構成を示す図である。なお、図３には、遊技機２０に接続された台間カード処理機１０の外観構成を台間カード処理機１０として示している。また、併設される遊技機２０は、破線で図示している。また、図３では、紙幣のみを受け付ける台間カード処理機１０を図示したが、硬貨受け付け用のユニットを設けることもできる。
【００４６】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２とを有する。また、台間カード処理機１０は、タッチパネルディスプレイ等の表示操作部１３と、カードを受け付けるカード挿入口１４と、遊技玉を遊技機２０に投出するノズルユニット１７と、遊技機２０の下皿から落下させた遊技玉を計数する計数ユニット１８とを有する。
【００４７】
次に、図２に示した台間カード処理機１０の実施例１に係る内部構成について説明する。図４は、台間カード処理機１０の実施例１に係る内部構成を示すブロック図である。図４に示すように、台間カード処理機１０は、カードリーダライタ１０ａと、紙幣搬送部１０ｂと、表示操作部１３と、カード収納部１６と、通信部１９と、記憶部１０ｅと、制御部１０ｆとを有する。また、台間カード処理機１０は、遊技機２０とはノズルユニット１７及び計数ユニット１８で接続している。
【００４８】
カードリーダライタ１０ａは、カード挿入口１４に挿入されたカードからカードＩＤを読み取る読取部である。なお、カード挿入口１４に挿入されたカードは、このカードリーダライタ１０ａを経てカード収納部１６に収納される。遊技終了時には、カード収納部１６からカードリーダライタ１０ａに搬送され、最新の情報をカードに書き込んで、カード挿入口１４に搬出する。
【００４９】
紙幣搬送部１０ｂは、紙幣挿入口１２から挿入された紙幣の金種及び真偽を判別しつつ図示しない紙幣収納部に搬送する搬送部である。表示操作部１３は、台間カード処理機１０が保有する、会員情報やカード情報等の照会操作や玉貸し操作及び遊技客向けへのメッセージ表示を行うためのタッチパネル式の入出力装置である。
【００５０】
通信部１９は、遊技機２０、会員管理装置５０及びカード管理装置４０との間のデータ通信を行うためのインタフェース部である。
【００５１】
記憶部１０ｅは、ハードディスク装置や不揮発性メモリ等からなる記憶デバイスであり、記憶部１０ｅは、カードＩＤ１０ｅ１、持玉数データ１０ｅ２、プリペイド価値１０ｅ３、差玉通知データ１０ｅ４及び不正通知データ１０ｅ５を有する。
【００５２】
カードＩＤ１０ｅ１は、カードリーダライタ１０ａにより読み取られたカードＩＤである。カード収納部１６からカードリーダライタ１０ａにカードが搬送された場合には、カードリーダライタ１０ａにより読み取られたカードＩＤによってカードＩＤ１０ｅ１が更新される。また、カード挿入口１４からカード収納部１６にカードが搬送される場合にも、この搬送途中でカードリーダライタ１０ａにより読み取られたカードＩＤによってカードＩＤ１０ｅ１が更新される。
【００５３】
持玉数データ１０ｅ２は、遊技客の現時点の持玉数を示す。持玉数は、カード管理装置４０の持玉口座から取得するか、若しくは計数ユニット１８による計数により加算され、持玉再プレイ処理により減算される。
【００５４】
プリペイド価値１０ｅ３は、遊技客の現時点のプリペイド価値を示す。プリペイド価値１０ｅ３は、カード管理装置４０のカードＩＤに関連付けられて管理されているプリペイド価値情報から取得するか、紙幣挿入口１２に紙幣が挿入されると、この紙幣分に相当するプリペイド価値を加算され、玉貸しの処理により減算される。
【００５５】
差玉通知データ１０ｅ４は、差玉算出に必要なアウト玉数、賞出玉数、貸出玉数、持玉再プレイ玉数、貯玉再プレイ玉数及び計数玉数の情報をカード管理装置４０への通知用に編集したデータである。
【００５６】
不正通知データ１０ｅ５は、遊技機２０からの不正操作検出の通知を受け付けた時もしくは台間カード処理機１０で不正操作検出した時に、カード管理装置４０への不正操作検出の通知用に編集したデータである。
【００５７】
制御部１０ｆは、台間カード処理機１０を全体制御する制御部であり、データ管理部１０ｆ１、カード処理部１０ｆ２、差玉データ通知部１０ｆ３及び不正検知通知部１０ｆ４を有する。実際には、これらの機能部に対応するプログラムを図示しないＲＯＭ等の不揮発性メモリに記憶しておき、これらのプログラムをＣＰＵ（Ｃｅｎｔｒａｌ  Ｐｒｏｃｅｓｓｉｎｇ  Ｕｎｉｔ）にロードして実行することにより実現される。
【００５８】
データ管理部１０ｆ１は、記憶部１０ｅに記憶した持玉数データ１０ｅ２及びプリペイド価値１０ｅ３を管理する管理部である。データ管理部１０ｆ１は、遊技客により玉貸し操作が行われると、カード管理装置４０に玉貸要求を送信し、カード管理装置４０から玉貸許可を受信した場合に所定の数（例えば「１２５」）の遊技玉を貸し出す。この貸出により、カード管理装置４０が管理するプリペイド価値は、所定数減算され、プリペイド価値１０ｅ３は減算後の値に更新される。また、データ管理部１０ｆ１は、紙幣挿入口１２に紙幣が挿入されると、この紙幣分に相当する金額をカード管理装置４０に通知する。この紙幣挿入により、カード管理装置４０が管理するプリペイド価値は、入金額相当分が加算され、プリペイド価値１０ｅ３は加算後の値に更新される。
【００５９】
また、データ管理部１０ｆ１は、計数ユニット１８が遊技玉を計数した場合には、計数した玉数を持玉数データ１０ｅ２に加算する。また、データ管理部１０ｆ１は、持玉再プレイ操作を受け付けたならば、持玉数データ１０ｅ２を所定数（例えば１２５玉）単位で減算して、減算した玉数をノズルユニット１７より払い出す。持玉再プレイ操作を受け付けた際に、持玉数データ１０ｅ２が所定数未満である場合には、該玉数をノズルユニット１７より払い出して、持玉数データ１０ｅ２を０とする。
【００６０】
また、データ管理部１０ｆ１は、貯玉再プレイ操作を受け付けたならば、会員管理装置５０に貯玉再プレイ要求を送信し、会員管理装置５０から貯玉再プレイの許可である貯玉再プレイデータを受けたならば所定（例えば１２５玉）の玉数を遊技機２０から払い出す。会員管理装置５０が管理している貯玉数は貯玉再プレイ操作により、所定（例えば１２５玉）の玉数が減算される。
【００６１】
カード処理部１０ｆ２は、カード挿入口１４からカードを受け付けたならば、カードリーダライタ１０ａによりカードＩＤを読み取らせ、カードＩＤ１０ｅ１として記憶部１０ｅに記憶させる。また、カード処理部１０ｆ２は、カードＩＤ１０ｅ１をカード管理装置４０に送信して、該カードＩＤに関連付けられたプリペイド価値、持玉口座残高をカード管理装置４０から受信する。受信したプリペイド価値は、プリペイド価値１０ｅ３として記憶部１０ｅに格納し、持玉口座の残高は持玉数データ１０ｅ２として記憶部１０ｅに格納する。
【００６２】
差玉データ通知部１０ｆ３は、遊技機２０からアウト通知を受け付けた場合に、差玉通知データ１０ｅ４にカードＩＤ１０ｅ１の値とアウト玉数とデータの種別がアウト玉数であること等を書き込んで、作成された差玉通知データ１０ｅ４をカード管理装置４０に通知する。
【００６３】
また、差玉データ通知部１０ｆ３は、遊技機２０からセーフ通知受け付けた場合に、差玉通知データ１０ｅ４にカードＩＤ１０ｅ１の値と賞出玉数とデータの種別が賞出玉数であること等を書き込んで、作成された差玉通知データ１０ｅ４をカード管理装置４０に通知する。
【００６４】
また、差玉データ通知部１０ｆ３は、玉貸し操作が行われると、差玉通知データ１０ｅ４にカードＩＤ１０ｅ１の値と貸出玉数とデータの種別が貸出玉数であること等を書き込んで、作成された差玉通知データ１０ｅ４をカード管理装置４０に通知する。
【００６５】
また、差玉データ通知部１０ｆ３は、持玉再プレイ操作が行われると、差玉通知データ１０ｅ４にカードＩＤ１０ｅ１の値と持玉再プレイ玉数とデータの種別が持玉再プレイ玉数であること等を書き込んで、作成された差玉通知データ１０ｅ４をカード管理装置４０に通知する。
【００６６】
また、差玉データ通知部１０ｆ３は、貯玉再プレイ操作が行われると、差玉通知データ１０ｅ４にカードＩＤ１０ｅ１の値と貯玉再プレイ玉数とデータの種別が貯玉再プレイ玉数であること等を書き込んで、作成された差玉通知データ１０ｅ４をカード管理装置４０に通知する。
【００６７】
また、差玉データ通知部１０ｆ３は、計数操作が行われると、差玉通知データ１０ｅ４にカードＩＤ１０ｅ１の値と計数玉数とデータの種別が計数玉数であること等を書き込んで、作成された差玉通知データ１０ｅ４をカード管理装置４０に通知する。
【００６８】
不正検知通知部１０ｆ４は、遊技機２０から不正操作検知通知を受け付けた場合に、不正通知データ１０ｅ５にカードＩＤ１０ｅ１の値と検知した不正操作の種類等を書き込んで、作成された不正通知データ１０ｅ５をカード管理装置４０に通知する。
【００６９】
また、不正検知通知部１０ｆ４は、台間カード処理機１０において不正操作を検知した場合に、不正通知データ１０ｅ５にカードＩＤ１０ｅ１の値と検知した不正操作の種類等を書き込んで、作成された不正通知データ１０ｅ５をカード管理装置４０に通知する。
【００７０】
次に、図２に示した台間カード処理機１０の実施例１に係るデータ構成について説明する。図５は、台間カード処理機１０の実施例１に係るデータ構成について説明するための説明図である。
【００７１】
差玉通知データ１０ｅ４は、カードＩＤ、データ種別、日付、時刻及び遊技媒体数を有する。データ種別とは、１が「アウト玉数」、２が「賞出玉数」、３が「貸出玉数」、４が「貯玉再プレイ玉数」、５が「持玉再プレイ玉数」、６が「計数玉数」であることを示す。図５の差玉通知データ１０ｅ４は、カードＩＤが「００１０１」、データ種別が「３」で貸出玉数、日付が「２０１２／４／１」、時刻が「１５：３０」、遊技媒体数が「１２５」であることを示す。
【００７２】
不正通知データ１０ｅ５は、カードＩＤ、不正種別、日付及び時刻を有する。不正種別とは、１が「遊技台オープン」、２が「磁石使用」、３が「紙幣フィッシング」であることを表す。図５の不正通知データ１０ｅ５は、カードＩＤが「００１０１」、不正種別が「３」で紙幣フィッシング、日付が「２０１２／４／１」、時刻が「１６：００」であることを示す。ここで、紙幣フィッシングとは、糸を付けた紙幣を入金し、紙幣が読み取られた後に抜き出す不正である。
【００７３】
次に、図２に示した台間カード処理機１０における差玉に係る操作時及び不正検知時の処理手順について説明する。図６は、台間カード処理機１０における差玉に係る操作時及び不正検知時の処理手順について説明するためのフローチャートである。
【００７４】
差玉データ通知部１０ｆ３は、遊技客の遊技機２０からの差玉の算出に関係のある通知を受け付けたか、台間カード処理機１０における差玉の算出に関係のある操作を検知したならば（ステップＳ１０１；Ｙｅｓ）、受け付けた通知又は検知した操作の内容から差玉通知データ１０ｅ４を作成する（ステップＳ１０２）。また、差玉データ通知部１０ｆ３は、作成した差玉通知データ１０ｅ４をカード管理装置４０に送付して（ステップＳ１０３）、処理終了となる。
【００７５】
遊技機２０からの差玉の算出に関係のある通知も受け付けず、台間カード処理機１０における差玉の算出に関係のある操作も検知しなかった場合（ステップＳ１０１；Ｎｏ）に、不正検知通知部１０ｆ４は、遊技機２０からの不正操作検知通知を受け付けたか、台間カード処理機１０における不正操作を検知した場合（ステップＳ１０４；Ｙｅｓ）には、受け付けた不正操作検知通知若しくは検知した不正操作の内容から不正通知データ１０ｅ５を作成する（ステップＳ１０５）。不正検知通知部１０ｆ４は、編集した不正通知データ１０ｅ５をカード管理装置４０に送付して（ステップＳ１０６）、処理終了となる。
【００７６】
遊技機２０からの不正操作検知通知も受け付けず、台間カード処理機１０における不正操作も検知しなかった場合（ステップＳ１０４；Ｎｏ）には、処理終了となる。
【００７７】
次に、図２に示したカード管理装置４０の実施例１に係る内部構成を説明する。図７は、カード管理装置４０の実施例１に係る内部構成を示すブロック図である。図７に示すように、カード管理装置４０は、表示部４１及び入力部４２と接続される。表示部４１は、液晶パネル等のディスプレイ装置であり、入力部４２は、キーボードやマウス等である。
【００７８】
また、カード管理装置４０は、通信部４３と、記憶部４４と、制御部４５とを有する。通信部４３は、通信回線９０を介して台間カード処理機１０とデータ通信するためのインタフェース部である。
【００７９】
記憶部４４は、ハードディスク装置や不揮発性メモリ等の記憶デバイスであり、カードデータ４４ａ、差玉データ４４ｂ及び不正ログデータ４４ｃを記憶する。
【００８０】
カードデータ４４ａは、カードＩＤにプリペイド価値と、レート毎の持玉数とを対応付けたデータである。
【００８１】
差玉データ４４ｂは、カードＩＤに対応付けて差玉数と差玉算出根拠となるアウト玉数、賞出玉数、貸出玉数、貯玉再プレイ玉数、持玉再プレイ玉数及び計数玉数を有している。遊技媒体の店外からの持ち込みや持ち出しを行っていなければ、カードＩＤで規定される遊技客が手許に有している玉数は、差玉データ４４ｂの該カードＩＤに対応付けられる差玉数と概ね一致する。
【００８２】
不正ログデータ４４ｃは、遊技機２０や台間カード処理機１０で検知された不正操作を蓄積したものである。不正ログデータ４４ｃは、１回の不正の検知で１レコード追加される。また、不正ログデータ４４ｃは、カード管理装置４０の持込チェック部４５ｃで遊技媒体不正持込を検知した情報も記録される。
【００８３】
差玉データ４４ｂ及び不正ログデータ４４ｃは、日次で作成されるデータであり、閉店時処理等の日次の処理で全てクリアされる。
【００８４】
制御部４５は、カード管理装置４０を全体制御する制御部であり、カードデータ管理部４５ａ、差玉算出部４５ｂ、持込チェック部４５ｃ、不正ログ出力部４５ｄ及び不正ログ検索処理部４５ｅを有する。実際には、これらの機能部に対応するプログラムを図示しないＲＯＭ等の不揮発性メモリに記憶しておき、これらのプログラムをＣＰＵ（Ｃｅｎｔｒａｌ  Ｐｒｏｃｅｓｓｉｎｇ  Ｕｎｉｔ）にロードして実行することにより実現される。
【００８５】
カードデータ管理部４５ａは、カードデータ４４ａに対するデータの登録、更新及び削除を行う処理部である。カードデータ管理部４５ａは、台間カード処理機１０からカードＩＤ、プリペイド価値及び持玉数を受信したならば、受信したカードＩＤに対応付けられたプリペイド価値を受信したプリペイド価値に置き換え、受信したカードＩＤに対応付けられた持玉口座の玉数を受信した持玉数に置き換える。
【００８６】
また、カードデータ管理部４５ａは、カードデータ４４ａを通知する処理部でもある。カードデータ管理部４５ａは、台間カード処理機１０からカードＩＤを受信したならば、該カードＩＤに対応付けられたプリペイド価値並びに持玉口座の残高を台間カード処理機１０に通知する。
【００８７】
差玉算出部４５ｂは、台間カード処理機１０から通知されるカードＩＤに対応付けられたアウト玉数、賞出玉数、貸出玉数、貯玉再プレイ玉数、持玉再プレイ玉数、計数玉数を、指定されたカードＩＤの差玉データ４４ｂのアウト玉数、賞出玉数、貸出玉数、貯玉再プレイ玉数、持玉再プレイ玉数、計数玉数に加算する。また、差玉算出部４５ｂは、これらのデータから（賞出玉数＋貸出玉数＋貯玉再プレイ玉数＋持玉再プレイ玉数）−（アウト玉数＋計数玉数）で差玉数を算出する。
【００８８】
持込チェック部４５ｃは、台間カード処理機１０からカードＩＤに対応付けられた計数玉数を受信した時に、計数玉数を差玉データ４４ｂに反映する前に、通知された計数玉数と差玉データ４４ｂの差玉数を比較することによって、店外からの不正な遊技媒体の持ち込みの有無を判定する。具体的には、通知された計数玉数が差玉データ４４ｂの差玉数に比較して大きい場合には不正な遊技媒体の持ち込みがあったと判定し、不正ログデータ４４ｃに不正ログとして追加登録する。
【００８９】
不正ログ出力部４５ｄは、台間カード処理機１０から受け付けた不正操作検出通知に基づいて、受け付けた内容を不正ログデータ４４ｃに追加する。
【００９０】
不正ログ検索処理部４５ｅは、景品管理装置６０からカードＩＤを指定して不正ログ検索の要求を受け付けた時に動作し、指定されたカードＩＤに関連付けられる全ての不正ログの情報を返却する。
【００９１】
次に、図２に示したカード管理装置４０の実施例１に係るデータ構成について説明する。図８は、カード管理装置４０の実施例１に係るデータ構成について説明するための説明図である。
【００９２】
差玉データ４４ｂは、カードＩＤをキーにしたデータ構造であり、カードＩＤに対応付けてアウト玉数、賞出玉数、貸出玉数、貯玉再プレイ玉数、持玉再プレイ玉数、計数玉数及び差玉数を有している。図８の差玉データ４４ｂは、カードＩＤ「００１０１」に対応付けてアウト玉数が「５００」、賞出玉数が「３００」、貸出玉数が「２００」、貯玉再プレイ玉数が「３００」、持玉再プレイ玉数が「０」、計数玉数が「２５０」、差玉数が「５０」で、カードＩＤ「００１０２」に対応付けてアウト玉数が「２００」、賞出玉数が「５００」、貸出玉数が「１００」、貯玉再プレイ玉数が「０」、持玉再プレイ玉数が「１５０」、計数玉数が「１５０」、差玉数が「４００」であることを示す。
【００９３】
不正ログデータ４４ｃは、１回の不正の検知で１レコード蓄積させるものであり、カードＩＤ、不正種別、日付及び時刻を有している。不正種別とは、１が「遊技台オープン」、２が「磁石使用」、３が「紙幣フィッシング」、４が「遊技媒体持込」であることを表す。図８の不正ログデータ４４ｃは、カードＩＤが「００１０１」、不正種別が「３」で紙幣フィッシング、日付が「２０１２／４／１」、時刻が「１６：００」であることを示す。
【００９４】
次に、図２に示した景品管理装置６０の外観構成について説明する。図９は、景品管理装置６０の外観構成を示す図である。同図（ａ）には正面上方（景品カウンタの店員側）から見た景品管理装置６０の斜視図を示し、同図（ｂ）には景品管理装置６０の背面図（景品カウンタの遊技客側）を示している。
【００９５】
図９（ａ）に示すように、景品管理装置６０の前面には、店側表示部６１、操作部６２、レシート発行部６３及びバーコードリーダ６７が設けられている。ここでは、説明の便宜上図示省略したが、電源スイッチやメモリカード差込口なども設けられる。また、景品管理装置６０には、リーダライタ７０が接続されている。
【００９６】
店員は、計数機等で発行された計数レシートを遊技客から受け取ったならば、バーコードリーダ６７で計数レシートに印字されたバーコードを読み取り、遊技客が獲得した獲得玉数を特定する。また、リーダライタ７０のカード挿入口７３にカードが挿入された場合には、該カードに対応付けられた持玉数及び貯玉数を特定する。このように特定した玉数は、特殊景品又は一般景品との景品交換に使用される。
【００９７】
店側表示部６１は、操作者である遊技店の店員用の表示部兼操作部であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力などを行う際に使用される。
【００９８】
レシート発行部６３は、登録リスト及び集計リスト等の各種レシートを発行処理する発行部であり、感熱式プリンタ等からなる。バーコードリーダ６７は、計数レシートに印字されたバーコードを読み取って、情報内容を特定する。
【００９９】
図９（ｂ）に示すように、景品管理装置６０の背面には、遊技客用の客側表示部６４が設けられている。この客側表示部６４は、蛍光表示管やタッチパネルカラー液晶ディスプレイ等からなる。遊技客は、この客側表示部６４の表示内容を確認することにより、カードに対応付けられる持玉数や貯玉数を確認することができる。さらに、客側表示部６４は、上位の装置（例えばカード管理装置４０）からイベント情報などを設定データとして通知された場合には、該イベント情報を表示することができる。
【０１００】
また、この景品管理装置６０にはリーダライタ７０が接続されている。このリーダライタ７０には、表示操作部７１、かざし部７２、カード挿入口７３及び扉カギ７４が設けられている。表示操作部７１は、タッチパネルカラー液晶ディスプレイ等からなり、カードの読み取り状況等が表示される。なお、会員カードの場合には、この表示操作部７１を用いて暗証番号が入力される。かざし部７２は、非接触ＩＣカード又はＩＣチップ内蔵の携帯電話機との間で非接触のデータ送受信を行うためのかざし部である。カード挿入口７３は、会員カード及び一般カードを挿入する挿入口である。
【０１０１】
次に、図２に示した景品管理装置６０の実施例１に係る内部構成について説明する。図１０は、景品管理装置６０の実施例１に係る内部構成を示すブロック図である。図１０に示すように、この景品管理装置６０は、通信回線９０及びリーダライタ７０に接続されている。景品管理装置６０は、すでに説明した店側表示部６１、操作部６２、レシート発行部６３及び客側表示部６４と、記憶部６５と、制御部６６と、バーコードリーダ６７と、通信部６８とを有する。通信部６８は、景品管理装置６０が通信回線９０と通信するためのインタフェース部である。
【０１０２】
記憶部６５は、ハードディスク装置や不揮発性メモリ等の記憶デバイスであり、景品マスタ６５ａ、計数レシートデータ６５ｂ、カードＩＤ６５ｃ、貯玉データ６５ｄ、持玉データ６５ｅ、残玉数６５ｆ、不正ログ検索結果６５ｇ及びアラート判定閾値６５ｈを記憶する。
【０１０３】
景品マスタ６５ａは、遊技玉を景品に交換する際に使用するデータであり、会員管理装置５０から受信して記憶したデータである。
【０１０４】
計数レシートデータ６５ｂは、遊技客から受け取った計数機等で発行された計数レシートをバーコードリーダ６７で読み取ったデータであり、遊技種や獲得玉数の情報を記憶したデータである。
【０１０５】
カードＩＤ６５ｃは、リーダライタ７０でカードもしくは携帯から読み込んだデータである。貯玉データ６５ｄは、リーダライタ７０で読み込んだカードＩＤが会員ＩＤである場合に、会員管理装置５０から通知された貯玉数を記憶しているデータである。また、持玉データ６５ｅは、リーダライタ７０で読み込んだカードＩＤに対応するもので、カード管理装置４０から通知された持玉数を記憶しているデータである。
【０１０６】
残玉数６５ｆは、遊技客から受け取った計数レシートの獲得玉数とカードや携帯読み取りによる貯玉数や待玉数の合計数値から、店員による景品交換操作により指定した景品に対応する玉数を差し引いた数値である。
【０１０７】
不正ログ検索結果６５ｇは、リーダライタ７０でカードもしくは携帯からカードＩＤを読み取った時に、カード管理装置４０から該カードＩＤに関する不正ログを取得した結果である。
【０１０８】
アラート判定閾値６５ｈは、カード管理装置４０から入手した不正ログ検索結果６５ｇに対してアラートの報知の要否を判定するための基準値である。例えば、判定基準を「当日の同一カードＩＤにおいて不正ログが５回以上記録されている場合についてはアラートを報知する」とした場合の閾値となる数値（例えば「５」）を記憶する。
【０１０９】
制御部６６は、景品管理装置６０を全体制御する制御部であり、景品管理部６６ａ、景品マスタ取得部６６ｂ、玉数管理部６６ｃ、景品交換処理部６６ｄ、アラート判定部６６ｅ及びアラート出力部６６ｆを有する。実際には、これらの機能部に対応するプログラムを図示しないＲＯＭ等の不揮発性メモリに記憶しておき、これらのプログラムをＣＰＵ（Ｃｅｎｔｒａｌ  Ｐｒｏｃｅｓｓｉｎｇ  Ｕｎｉｔ）にロードして実行することにより実現される。
【０１１０】
景品管理部６６ａは、記憶部６５に記憶した景品マスタ６５ａを用いて景品管理装置６０の取扱対象となる特殊景品、一般景品の交換玉数等を管理する管理部である。景品マスタ取得部６６ｂは会員管理装置５０から景品マスタを取得し、記憶部６５に景品マスタ６５ａとして格納する処理部である。
【０１１１】
玉数管理部６６ｃは、遊技客から受け取った計数レシートをバーコードリーダ６７で読み取った獲得玉数を計数レシートデータ６５ｂに書き込むとともに、読み取った獲得玉数を残玉数６５ｆに加算更新する。
【０１１２】
また、玉数管理部６６ｃは、遊技客がリーダライタ７０で会員カードもしくは携帯の会員ＩＤを読み込ませた場合に、会員管理装置５０から取得した貯玉情報を貯玉データ６５ｄに書き込み、カード管理装置４０から取得した持玉情報を持玉データ６５ｅに書き込む。また、玉数管理部６６ｃは、貯玉データ６５ｄ及び持玉データ６５ｅの玉数を残玉数６５ｆに加算更新する。また、玉数管理部６６ｃは、遊技客がリーダライタ７０で一般カードを読み込ませ、カード管理装置４０から取得した持玉情報を持玉データ６５ｅに書き込むとともに、取得した持玉数を残玉数６５ｆに加算更新する。
【０１１３】
景品交換処理部６６ｄは、残玉数６５ｆの範囲内で、景品マスタ６５ａに基づいて特殊景品及び一般景品の景品交換処理を行う。景品交換処理部６６ｄは、特殊景品の交換処理を指定された場合には、残玉数６５ｆで交換可能な特殊景品の種類及び数の組み合わせを求め、交換に必要な玉数を残玉数６５ｆより減算する。また、景品交換処理部６６ｄは、特殊景品以外の一般景品の交換処理を行う場合には、操作部６２の操作により指定された景品を交換景品として、交換に必要な玉数を残玉数６５ｆより減算する。
【０１１４】
アラート判定部６６ｅは、リーダライタ７０でカードＩＤを読み込んだ場合に、該カードＩＤに対する不正ログの情報をカード管理装置４０より入手して不正ログ検索結果６５ｇに書き込む。また、アラート判定部６６ｅは、不正ログ検索結果６５ｇの内容をアラート判定閾値６５ｈと比較することによって、該カードＩＤに対応する遊技客に関するアラートの報知の要否の判定を行う。
【０１１５】
アラート出力部６６ｆは、アラート判定部６６ｅにおいてアラート報知が必要と判定された場合に、店側表示部６１等に不正ログの内容などを出力することによって店員にアラートの報知を行う。
【０１１６】
次に、図２に示した景品管理装置６０の実施例１に係るカード挿入時のアラート報知の処理手順について説明する。図１１は、景品管理装置６０の実施例１に係るカード挿入時のアラート報知の処理手順について説明するためのフローチャートである。
【０１１７】
リーダライタ７０でカードまたは携帯よりカードＩＤが読み込まれた場合（ステップＳ２０１；Ｙｅｓ）に、アラート判定部６６ｅは、読み込まれたカードＩＤを指定してカード管理装置４０に不正ログの検索要求を送信し、その応答として受け取った不正ログの検索結果を不正ログ検索結果６５ｇに書き込む（ステップＳ２０２）。また、アラート判定部６６ｅは、不正ログ検索結果６５ｇとアラート判定閾値６５ｈとを比較することによって、アラート報知の要否を判定する（ステップＳ２０３）。リーダライタ７０でカードまたは携帯によるカードＩＤの読み込みが行われなかった場合（ステップＳ２０１；Ｎｏ）には、処理終了となる。
【０１１８】
アラート判定部６６ｅの判定結果がアラート報知要であった場合（ステップＳ２０４；Ｙｅｓ）には、アラート出力部６６ｆは、不正ログ検索結果６５ｇの内容等からアラート出力内容を編集し店側表示部６１等の出力装置にアラート出力を行う（ステップＳ２０５）。アラート判定部６６ｅの判定結果がアラート報知が不要であった場合（ステップＳ２０４；Ｎｏ）には処理終了となる。
【０１１９】
上述してきたように、本実施例１では、遊技機２０や台間カード処理機１０で検知した不正操作を、該不正操作実施した遊技客を識別するカードＩＤとともにカード管理装置４０に通知する。また、遊技機２０や台間カード処理機１０は、差玉を算出するのに必要な操作内容や遊技結果をカードＩＤとともにカード管理装置４０に通知し、カード管理装置４０は算出した差玉数と通知される計数結果との比較により遊技媒体の不正持ち込み等を検出する。また、カード管理装置４０は通知された不正操作やカード管理装置４０内で検出した不正操作をカードＩＤに関連付けて不正ログデータ４４ｃとして蓄積する。そして、遊技客の景品交換時に該不正ログデータ４４ｃに不正ログが多い場合は、店員に該遊技客に対するアラート報知を行う。かかる構成により、遊技に対する不正の検知結果を精度良くかつ効率的に報知することができる。
【実施例２】
【０１２０】
ところで、上述の実施例１では、不正ログはカードＩＤに対応付けて記録され、閉店後処理等の日次の処理でクリアされ日を跨いだデータの蓄積は行われていなかった。これは、カードＩＤには会員となっている遊技客の会員カードのカードＩＤと非会員の遊技客が使用する当日のみ有効な一般カードのカードＩＤが混在しており、非会員については来店の都度割り振られるカードＩＤが異なるため、日を跨いで蓄積する意味は無いためである。しかし、不正ログを遊技客に対応付けて記憶させることができれば、不正ログを長期的に蓄積することによって、不正行為常習遊技客の特定が可能となり、アラートで店員に報知する情報にも該当遊技客の過去の不正行為の情報の提供が可能となる。本実施例２では、景品交換時に遊技客の顔画像を採取し、該顔画像に対応付けて不正ログを管理することにより、過去の不正履歴を遊技客に対応付けたブラックリストデータを作成し、アラート報知時に該ブラックリストデータを報知するケースについて説明する。尚、本実施例２では台間カード処理機１０、遊技機２０、会員管理装置５０おける処理内容は同様であり説明は省略する。
【０１２１】
まず、実施例２に係る遊技管理システムにおける不正行為を検知する遊技管理方法の概念を説明する。図１２は、実施例２に係る遊技管理システムにおける不正行為を検知する遊技管理方法の概念を説明するための説明図である。
【０１２２】
実施例１と同様に、台間カード処理機１０から、もしくは台間カード処理機１０を経由して遊技機２０から、カード管理装置１４０に、カードＩＤに関連付けてアウト玉数、賞出玉数、貸出玉数、貯玉再プレイ玉数、持玉再プレイ玉数、計数玉数等の差玉に係る情報を通知する。また、遊技機２０や台間カード処理機１０で検知した不正操作も、実施例１と同様に、カードＩＤに関連付けて不正内容を通知する。
【０１２３】
カード管理装置１４０は、台間カード処理機１０や遊技機２０より通知された差玉に係る通知や不正操作通知より、実施例１と同様に不正ログを作成する。
【０１２４】
景品管理装置１６０では、景品交換に来た遊技客にカードリードをしてもらうことによりカードＩＤを取得するとともに、カメラ１６９で遊技客の顔画像を撮像する。次に、実施例１と同様、カード管理装置１４０にカードＩＤを指定して不正ログの検索要求を行い、入手したログの内容に従ってアラート報知要否の判定を行う。
【０１２５】
景品管理装置１６０は、アラート報知が必要と判定された場合には、カードＩＤとカメラ１６９で撮像した顔画像をカード管理装置１４０に送付して、カード管理装置１４０の管理するブラックリストの検索要求を行う。景品管理装置１６０は、カード管理装置１４０のブラックリスト検索結果等からアラート出力内容を編集し、店側表示部６１等にアラート内容を出力する。
【０１２６】
カード管理装置１４０は、ブラックリストの検索要求を受け付けると、受け付けた顔画像をブラックリストの顔画像ＤＢと顔画像照合処理を行い、登録済みのブラックリストの顔画像と合致した場合には、該ブラックリスト登録者の不正履歴ＤＢに当日分の不正ログ内容を追加し、当日分の不正ログを含めた過去の不正履歴データを景品管理装置１６０に返信する。
【０１２７】
また、  カード管理装置１４０は、顔画像照合処理で登録済みのブラックリストの顔画像に合致しなかった場合には、景品管理装置１６０で撮像された顔画像を新たにブラックリストの顔画像ＤＢに追加して、当日分の当該遊技客の不正ログ内容を不正履歴として登録する。
【０１２８】
次に、図１２に示したカード管理装置１４０の実施例２に係る内部構成を説明する。図１３は、カード管理装置１４０の実施例２に係る内部構成を示すブロック図である。カード管理装置１４０は、実施例１であったカード管理装置４０と同一の構成要素については同一の符号番号を付して説明を省略する。実施例１との差異のある追加部分を中心に説明する。
【０１２９】
記憶部４４には、実施例１に比較して、カードＩＤ・顔識別番号リンクデータ１４４ｄ、ブラックリスト顔画像ＤＢ１４４ｅ及びブラックリスト不正履歴ＤＢ１４４ｆが追加となっている。
【０１３０】
ブラックリスト顔画像ＤＢ１４４ｅは、キーデータである顔画像の識別番号に対応付けて顔画像と顔画像の特徴データを有している。ブラックリスト不正履歴ＤＢ１４４ｆは、ブラックリスト顔画像ＤＢ１４４ｅの顔画像の識別番号に対応付けて過去の不正履歴を記録している。
【０１３１】
カードＩＤ・顔識別番号リンクデータ１４４ｄは、景品管理装置１６０からのブラックリスト検索要求時に通知された景品交換に訪れた遊技客の顔画像とカードＩＤを受け付けて作成するデータであり、ブラックリスト顔画像ＤＢ１４４ｅとの顔画像照合処理で特定した遊技客の識別番号と送信してきたカードＩＤとの対応付けを記憶している。
【０１３２】
制御部４５には、実施例１に比較して、ブラックリスト検索・登録処理部１４５ｆとブラックリスト照会処理部１４５ｇが追加となっている。
【０１３３】
ブラックリスト検索・登録処理部１４５ｆは、景品管理装置１６０からの遊技客の顔画像とカードＩＤを受け付けてブラックリストの検索と登録の処理を行う。具体的には、受け付けた遊技客の顔画像とブラックリスト顔画像ＤＢ１４４ｅとの顔画像照合処理により、登録されている遊技客であれば遊技客の識別番号を特定し、登録されていない遊技客と判定された場合には受け付けた顔画像を、新たに採番した識別番号とともにブラックリスト顔画像ＤＢ１４４ｅに新規登録する。また、受け付けたカードＩＤに対応する不正ログデータ４４ｃを、該識別番号に関連付けてブラックリスト不正履歴ＤＢ１４４ｆに追加登録する。
【０１３４】
ブラックリスト照会処理部１４５ｇは、ブラックリスト検索・登録処理部１４５ｆによって特定された遊技客の識別番号に関連するブラックリスト不正履歴ＤＢ１４４ｆのデータを検索して、検索結果をブラックリスト検索要求元の景品管理装置１６０に返却する。
【０１３５】
次に、図１２に示したカード管理装置１４０の実施例２に係るデータ構成について説明する。図１４は、カード管理装置１４０の実施例２に係るデータ構成について説明するための説明図である。
【０１３６】
カードＩＤ・顔識別番号リンクデータ１４４ｄは、景品交換に訪れた遊技客の顔画像の認識により特定されたブラックリスト上の遊技客の識別番号とカードＩＤの対応付けを行ったものである。図１４のカードＩＤ・顔識別番号リンクデータ１４４ｄは、カードＩＤが「００１０１」の遊技客が、ブラックリスト上の識別番号「００００１」の遊技客であり、カードＩＤが「００１１２」の遊技客が、ブラックリスト上の識別番号「０００１２」の遊技客であると判定したことを示す。カードＩＤと識別番号は１対１であるとは限らず、同一のカードを複数の遊技客で共有して使用しているケースは１対ｎ、同一遊技客が別のカードＩＤで遊技する場合などはｎ対１等のケースもある。
【０１３７】
ブラックリスト顔画像ＤＢ１４４ｅは、ブラックリストの顔画像に関するデータであり、全体でユニークな識別番号に対応付けて、顔画像から算出した顔画像特徴データ及び顔画像データを有している。図１４の、ブラックリスト顔画像ＤＢ１４４ｅは、識別番号「００００１」に顔画像特徴データ及び顔画像データが対応付けられていることを示す。
【０１３８】
ブラックリスト不正履歴ＤＢ１４４ｆは、ブラックリストに載っている遊技客の過去の不正履歴を記録したものであり、ブラックリスト顔画像ＤＢ１４４ｅのキーであった識別番号に過去の不正操作の不正種別、該不正操作を検知した日付及び時刻を有している。不正種別は「１」が遊技台オープン、「２」が磁石使用、「３」が紙幣フィッシング、「４」が遊技媒体持込であることを示す。図１４の、ブラックリスト不正履歴ＤＢ１４４ｆは、識別番号が「００００１」の遊技客が、日付「２０１２／４／１」、時刻「１６：００」に、不正種別が「３」の紙幣フィッシングの不正操作を行ったことを検知したことを示す。
【０１３９】
次に、図１２に示したカード管理装置４０の実施例２に係るブラックリスト作成の処理手順について説明する。図１５は、カード管理装置４０の実施例２に係るブラックリスト作成の処理手順について説明するためのフローチャートである。
【０１４０】
まず、ブラックリスト検索・登録処理部１４５ｆは、景品管理装置１６０からのブラックリスト検索要求を受け付けているか否かの判定を行う（ステップＳ３０１）。景品管理装置１６０からのブラックリスト検索要求を受け付けていない場合（ステップＳ３０１；Ｎｏ）には処理終了となる。景品管理装置１６０からのブラックリスト検索要求を受け付けている場合（ステップＳ３０１；Ｙｅｓ）に、ブラックリスト検索・登録処理部１４５ｆは、ブラックリスト顔画像ＤＢ１４４ｅと景品管理装置１６０から送信されてきた顔画像データとの顔画像照合処理を行う（ステップＳ３０２）。
【０１４１】
次に、顔画像照合処理（ステップＳ３０２）において景品管理装置１６０から送信されてきた顔画像がブラックリスト顔画像ＤＢ１４４ｅのいずれかの顔画像と同一人物であると判定されて識別番号が特定できた場合（ステップＳ３０３；Ｙｅｓ）には、顔画像新規登録（ステップＳ３０４）は実施せずにステップＳ３０５に移行する。景品管理装置１６０から送信されてきた顔画像がブラックリスト顔画像ＤＢ１４４ｅのいずれの顔画像とも同一人物であるとは判定されなかった場合（ステップＳ３０３；Ｎｏ）には、ブラックリスト検索・登録処理部１４５ｆは、景品管理装置１６０から送信されてきた顔画像を新たに採番号した識別番号とともにブラックリスト顔画像ＤＢ１４４ｅに新規登録する（ステップＳ３０４）。
【０１４２】
次に、ブラックリスト検索・登録処理部１４５ｆは、景品管理装置１６０から送信されてきた顔画像に対応する識別番号と、景品管理装置１６０から送信されてきたカードＩＤを対応付けたデータを、カードＩＤ・顔識別番号リンクデータ１４４ｄに登録する（ステップＳ３０５）。ただし、すでに登録しようとする識別番号とカードＩＤを対応付けたデータが登録されている場合には多重の登録は行わないものとする。
【０１４３】
次に、ブラックリスト検索・登録処理部１４５ｆは、景品管理装置１６０から送信されてきたカードＩＤに対応付けられた不正ログデータ４４ｃをブラックリスト不正履歴ＤＢ１４４ｆに登録する（ステップＳ３０６）。ただし、不正ログデータ４４ｃの該カードＩＤのデータの中に既にブラックリスト不正履歴ＤＢ１４４ｆに登録済みのデータが有る場合には多重の登録は行わないものとする。
【０１４４】
次に、ブラックリスト照会処理部１４５ｇは、ステップＳ３０２で特定された識別番号若しくはステップＳ３０４で新規採番した識別番号に対応付く不正操作の履歴情報を、ブラックリスト不正履歴ＤＢ１４４ｆから抽出し、それを基に景品管理装置１６０に返信するブラックリスト検索要求の応答データを作成する（ステップＳ３０７）。
【０１４５】
最後に、ブラックリスト照会処理部１４５ｇは、ステップＳ３０７で作成したブラックリスト検索要求の応答データを、景品管理装置１６０に返信して（ステップＳ３０８）、処理を終了する。
【０１４６】
次に、図１２に示した景品管理装置１６０の実施例２に係る内部構成を説明する。図１６は、景品管理装置１６０の実施例２に係る内部構成を示すブロック図である。景品管理装置１６０は、実施例１であった景品管理装置６０と同一の構成要素については同一の符号番号を付して説明を省略する。実施例１と同じ名前ではあるが符号番号が変わっている構成要素については、実施例１との差異のある部分を中心に説明する。
【０１４７】
実施例２では、景品管理装置１６０にカメラ１６９を接続する。記憶部６５には、実施例１に比較すると、カメラ１６９で撮像した顔画像を記憶する顔画像データ１６５ｉ及びブラックリスト検索結果１６５ｊが追加となる。ブラックリスト検索結果１６５ｊは、アラート報知が必要と判定しカード管理装置１４０へ送信したブラックリスト検索要求に対する検索結果として受け付けたデータである。
【０１４８】
制御部６６には、実施例１に比較すると、顔画像撮像部１６６ｆ及びブラックリスト検索部１６６ｇが追加されている。また、制御部６６のアラート出力部１６６ｈについては実施例１とは処理内容が異なっている。
【０１４９】
顔画像撮像部１６６ｆは、アラート判定部６６ｅによるアラートの報知の要否の判定の結果で、アラート報知が必要と判定した場合に、カメラ１６９により遊技客の顔画像を撮像し、撮像した顔画像のデータを顔画像データ１６５ｉに書き込む。
【０１５０】
ブラックリスト検索部１６６ｇは、アラート判定部６６ｅによるアラートの報知の要否の判定の結果で、アラート報知が必要と判定した場合に、カード管理装置１４０にブラックリスト検索要求としてカードＩＤ６５ｃと顔画像データ１６５ｉを送付し、該ブラックリスト検索要求の応答内容をブラックリスト検索結果１６５ｊに書き込む。
【０１５１】
アラート出力部１６６ｈは、ブラックリスト検索結果１６５ｊの内容などを店側表示部６１等に出力することによって店員にアラートの報知を行う。
【０１５２】
次に、図１２に示した景品管理装置１６０の実施例２に係るカード挿入時のアラート報知の処理手順について説明する。図１７は、景品管理装置１６０の実施例２に係るカード挿入時のアラート報知の処理手順について説明するためのフローチャートである。
【０１５３】
リーダライタ７０でカードまたは携帯よりカードＩＤが読み込まれた場合（ステップＳ４０１；Ｙｅｓ）に、アラート判定部６６ｅは、読み込まれたカードＩＤを指定してカード管理装置４０に不正ログの検索要求を送信し、受け取った不正ログの検索結果を不正ログ検索結果６５ｇに書き込む（ステップＳ４０２）。また、アラート判定部６６ｅは、不正ログ検索結果６５ｇとアラート判定閾値６５ｈとを比較することによって、アラート報知の要否を判定する（ステップＳ４０３）。リーダライタ７０でカードまたは携帯によるカードＩＤの読み込みが行われなかった場合（ステップＳ４０１；Ｎｏ）には、処理終了となる。
【０１５４】
アラート判定部６６ｅの判定結果がアラート報知不要であった場合（ステップＳ４０４；Ｎｏ）には処理終了となる。アラート判定部６６ｅの判定結果がアラート報知要であった場合（ステップＳ４０４；Ｙｅｓ）に、顔画像撮像部１６６ｆは、カメラ１６９で遊技客の顔画像を撮像して、撮像した顔画像を顔画像データ１６５ｉに書き込む（ステップＳ４０５）。
【０１５５】
次に、ブラックリスト検索部１６６ｇは、顔画像データ１６５ｉとカードＩＤ６５ｃを指定して、カード管理装置１４０にブラックリスト検索要求を送信する（ステップＳ４０６）。また、ブラックリスト検索部１６６ｇは、カード管理装置１４０からのブラックリスト検索要求の応答を受け付けて、受け付けた内容をブラックリスト検索結果１６５ｊに書き込む（ステップＳ４０７）。
【０１５６】
最後に、アラート出力部１６６ｈは、ブラックリスト検索結果１６５ｊの内容などを店側表示部６１等に出力することによって店員にアラートの報知を行って（ステップＳ４０８）、処理を終了する。アラート出力部１６６ｈは、カード管理装置１４０から取得したブラックリスト検索結果１６５ｊに応じてアラートを報知するものとしたが、不正の回数が所定回数未満の場合にはアラートの報知は行わず、不正の回数が所定回数以上の場合にアラート報知を行うものとしてもよい。
【０１５７】
上述してきたように、本実施例２では、実施例１における不正ログデータ４４ｃの作成に加えて、当日の不正操作が多いと判定した場合には景品管理装置１６０に追加したカメラ１６９により撮像した顔画像と不正ログデータ４４ｃをブラックリストデータとして日を跨いで管理し、アラートの内容にはブラックリストに蓄積された過去の情報も含めて店員に報知するよう構成したので、カメラの設置等の設備に係るコストを抑制しながら、不正行為の検出や不正行為の防止を効率的に実現することができる。
【０１５８】
なお、実施例２では、ブラックリストも本システムにおいて作成するものとして説明したが、本発明はこれに限定されるものではなく、ブラックリストは別システムで作成されたものを利用するとしても良い。
【０１５９】
また、実施例１及び実施例２では具体的な不正操作として遊技台オープン、磁石使用、紙幣フィッシング及び遊技媒体持込をあげたが、本発明はこれに限定されるものではなく、その他の遊技機２０や台間カード処理機１０等で検知することができる不正操作を、不正ログの対象とすることもできる。
【０１６０】
また、実施例１及び実施例２では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１６１】
また、実施例１及び実施例２では、遊技玉を用いるパチンコ遊技機を例に説明を行なったが、本発明の利用はこれに限定されるものではなく、メダルを用いるスロット遊技機に対しても同様に適用することが可能である。
【０１６２】
また、上述の実施例１及び実施例２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１６３】
以上のように、本発明に係る遊技管理システム及び遊技管理方法は、遊技に対する不正の検知結果を精度良くかつ効率的に報知することに適している。
【符号の説明】
【０１６４】
１０  台間カード処理機
１０ａ  カードリーダライタ
１０ｂ  紙幣搬送部
１０ｅ、４４、６５  記憶部
１０ｅ１、６５ｃ  カードＩＤ
１０ｅ２  持玉数データ
１０ｅ３  プリペイド価値
１０ｅ４  差玉通知データ
１０ｅ５  不正通知データ
１０ｆ、４５、６６  制御部
１０ｆ１  データ管理部
１０ｆ２  カード処理部
１０ｆ３  差玉データ通知部
１０ｆ４  不正検知通知部
１１  状態表示部
１２  紙幣挿入口
１３、７１  表示操作部
１４、７３  カード挿入口
１６  カード収納部
１７  ノズルユニット
１８  計数ユニット
１９、４３、６８  通信部
２０  遊技機
４０、１４０  カード管理装置
４１  表示部
４２  入力部
４４ａ  カードデータ
４４ｂ  差玉データ
４４ｃ  不正ログデータ
１４４ｄ  カードＩＤ・顔識別番号リンクデータ
１４４ｅ  ブラックリスト顔画像ＤＢ
１４４ｆ  ブラックリスト不正履歴ＤＢ
４５ａ  カードデータ管理部
４５ｂ  差玉算出部
４５ｃ  持込チェック部
４５ｄ  不正ログ出力部
４５ｅ  不正ログ検索処理部
１４５ｆ  ブラックリスト検索・登録処理部
１４５ｇ  ブラックリスト照会処理部
５０  会員管理装置
６０、１６０  景品管理装置
６１  店側表示部
６２  操作部
６３  レシート発行部
６４  客側表示部
６５ａ  景品マスタ
６５ｂ  計数レシートデータ
６５ｄ  貯玉データ
６５ｅ  持玉データ
６５ｆ  残玉数
６５ｇ  不正ログ検索結果
６５ｈ  アラート判定閾値
１６５ｉ  顔画像データ
１６５ｊ  ブラックリスト検索結果
６６ａ  景品管理部
６６ｂ  景品マスタ取得部
６６ｃ  玉数管理部
６６ｄ  景品交換処理部
６６ｅ  アラート判定部
６６ｆ、１６６ｈ  アラート出力部
１６６ｆ  顔画像撮像部
１６６ｇ  ブラックリスト検索部
６７  バーコードリーダ
１６９  カメラ
７０  リーダライタ
７２  かざし部
７４  扉カギ
９０  通信回線
【図１】
2015054138.tif 000003
【図２】
2015054138.tif 000004
【図３】
2015054138.tif 000005
【図４】
2015054138.tif 000006
【図５】
2015054138.tif 000007
【図６】
2015054138.tif 000008
【図７】
2015054138.tif 000009
【図８】
2015054138.tif 000010
【図９】
2015054138.tif 000011
【図１０】
2015054138.tif 000012
【図１１】
2015054138.tif 000013
【図１２】
2015054138.tif 000014
【図１３】
2015054138.tif 000015
【図１４】
2015054138.tif 000016
【図１５】
2015054138.tif 000017
【図１６】
2015054138.tif 000018
【図１７】
2015054138.tif 000019